(57)【要約】      （修正有）【課題】切断作業が容易であると共に、低コストで製造が可能で、且つ洗浄が行い易く衛生的に管理可能な耳装飾具を提供する。【解決手段】耳たぶに装着される耳装飾具１０は、互いに空隙を置いて対向する一対の耳たぶ把持部１１と、上記一対の耳たぶ把持部１１を連結して延設されたリング部１３とを有し、上記一方の耳たぶ把持部には棒状突出部１４が設けられていると共に、他方の耳たぶ把持部には平面円盤状の装着部１６を有する装飾部材固定部１５が設けられた構成とする。【選択図】図１
0003162450.tif 000002
【実用新案登録請求の範囲】
【請求項１】
耳たぶに装着される耳装飾具であって、
互いに空隙を置いて対向する一対の耳たぶ把持部と、上記一対の耳たぶ把持部を連結して延設されたリング部とを有し、
上記一方の耳たぶ把持部には棒状突出部が設けられていると共に、他方の耳たぶ把持部には平面円盤状の装着部を有する装飾部材固定部が設けられていることを特徴とする耳装飾具。
【請求項２】
上記装飾部材固定部は、載頭円錐台形状に形成され、上記装着部はすり鉢状に形成されていることを特徴とする請求項１記載の耳装飾具。
【請求項３】
上記耳たぶ狭持部、リング部、棒状突出部及び装飾部材固定部は合成樹脂から形成されていることを特徴とする請求項１記載の耳装飾具。
【請求項４】
上記合成樹脂はシリコン樹脂であることを特徴とする請求項３記載の耳装飾具。
【考案の詳細な説明】
【技術分野】
【０００１】
本考案は、耳たぶに装着する耳装飾具に関する。
【背景技術】
【０００２】
耳たぶに装着する耳装飾具としては、耳たぶに穴を開けて装着するピアス型装飾具と、螺子部材等で耳たぶを挟持して装着する所謂イヤリング型装飾具がある。
ピアス型装飾具は、デザインのバリエーションも多く、イヤリング型と比較して構造が単純であるという利点を有する一方、耳にピアス穴を開ける必要があり、上記ピアス穴を常に清潔な状態に保持する必要があり、細菌感染、炎症等のトラブルの要因となるという不具合を有していた。
また、イヤリング型装飾具の場合、装着時に螺子の締め付け等が必要であり、装着作業が非常に煩わしいという不具合を有していた。
【０００３】
上記不具合を解決するために、図３に示す形態の耳装飾具４０が流通している。
図３に示すように、従来の耳装飾具４０は、半透明の合成樹脂からなり、互いに空隙４９を置いて対向する一対の耳たぶ把持部４１、４２と、上記一対の耳たぶ把持部４１、４２を連結して延設されたリング部４３とを有し、上記耳たぶ把持部４１、４２には、それぞれ棒状突出部４４、４５が設けられている。
【０００４】
図３に示すように、上記耳装飾具４０を耳に装着する場合には、リング部４３を指で把持して、耳たぶ挟持部４１、４２を拡開し、耳たぶ４６を上記耳たぶ狭持部４１、４２の空隙に挟み込むことによって、上記リング部４３を耳たぶ４６の所定位置に固定する。
また、宝石部材４７を取り付ける場合は、鎖状部材４８等によって上記棒状突出部４２から吊り下げた形態で装着する。
【０００５】
図３に示すように、上記耳装飾具４０にあっては、上記リング部４３を耳たぶ４６に装着した場合に、上記棒状突出部４４、４５が耳たぶ４６を貫通しているように視認されるため、一般的なピアス型装飾具と同等の外観を持たせることができる。
また、一般的なイヤリング型装飾具のように、耳に装着するための螺子部材等が必要ないことから、構造が単純であり、且つ装着操作も容易である。
【０００６】
しかしながら、上記耳装飾具４０にあっては、棒状突出部４４、４５に直接宝石部材を直接装着することができないため、図３に示すように、吊り下げ用の鎖状部材４８等を介して宝石部材４７を取り付ける必要がある。
従って、部品点数が多くなると共に、鎖状部材４８の重みによって、長時間装着した場合に耳に痛みを生じやすく、上記鎖状部材４８の重みによって上記リング部４３が外れ易くなるという不具合を有していた。
また、鎖状部材４８を介して宝石部材４７を取り付ける形態に限定されることでデザインバリエーション少なくなるとうい別の不具合をも有していた。
【考案の開示】
【考案が解決しようとする課題】
【０００７】
本考案の解決する課題は、宝石部材を容易に装着することが可能であり、部品点数が少なく、軽量で装着感のよい耳装飾具を提供することにある。
【課題を解決するための手段】
【０００８】
上記課題を解決するために、請求項１に記載の考案に係る耳装飾具は、耳たぶに装着される耳装飾具であって、互いに空隙を置いて対向する一対の耳たぶ把持部と、上記一対の耳たぶ把持部を連結して延設されたリング部とを有し、上記一方の耳たぶ把持部には棒状突出部が設けられていると共に、他方の耳たぶ把持部には平面円盤状の装着部を有する装飾部材固定部が設けられていることを特徴とする。
【０００９】
従って、上記装飾部材固定部に接着剤等を塗布し、耳装飾具に直接宝石部材を装着することができる。
【００１０】
また、請求項２の考案に係る耳装飾具は、上記装飾部材固定部は、載頭円錐台形状に形成され、上記装着部はすり鉢状に形成されていることを特徴とする。
従って、上記装飾部材固定部の装着部に接着剤等を塗布し、宝石部材を嵌合することによって強固に装着することができる。
【００１１】
また、請求項３の考案に係る耳装飾具は、上記耳たぶ狭持部、リング部、棒状突出部及び装飾部材固定部は合成樹脂から形成されていることを特徴とする。
従って、装着者が金属アレルギーを持つ場合であっても、アレルギー反応が発生しない。
【００１２】
また、請求項４の考案に係る耳装飾具は、上記合成樹脂はシリコン樹脂であることを特徴とする。
【考案の効果】
【００１３】
請求項１及び請求項２の考案にあっては、装飾部材固定部に装着部が設けられ、上記装着部に直接宝石部材を取り付けることができる。
従って、宝石部材を容易に装着することが可能であり、また、宝石部材を装着するために、別途鎖状部材等が必要無いことから、部品点数が少なく、軽量で且つ装着感の良い耳装飾具を提供することができる。
特に請求項２の考案にあっては、上記装飾部材固定部は、載頭円錐台形状に形成され、上記装着部はすり鉢状に形成されていることから、上記装飾部材固定部の装着部に接着剤等を塗布し、宝石部材を嵌合することによって、簡易、且つ強固に宝石部材を装着することができる。
【００１４】
請求項３の考案にあっては、上記耳たぶ狭持部、リング部、棒状突出部及び装飾部材固定部は合成樹脂から形成されていることから、装着者が金属アレルギーを持つ場合であっても、アレルギー反応が発生しないため、安全性が高く、また金属製と比較して極めて軽量であり装着感に優れている。
【００１５】
また、請求項４の考案にあっては、上記合成樹脂がシリコン樹脂であることから、耐久性、耐酸性に優れ、汗等の体液によって劣化することが無い。
【図面の簡単な説明】
【００１６】
【図１】本考案の一実施の形態を示し、実施例の形態における耳装飾具の全体正面図である。
【図２】本考案の一実施の形態を示し、実施例の形態における耳装飾具の装飾部材固定部に、宝石部材を装着した状態を示す正面図である。
【図３】従来の耳装飾具の全体正面図である。
【考案を実施するための最良の形態】
【００１７】
以下図面を用いて本実施例の形態について説明する。
図１に示すように、本実施例に係る耳装飾具１０は、互いに空隙１８を置いて対向する一対の耳たぶ把持部１１、１２と、上記一対の耳たぶ把持部１１、１２を連結して延設されたリング部１３とを有し、上記一方の耳たぶ把持部１１には棒状突出部１４が設けられていると共に、他方の耳たぶ把持部１２には平面円盤状の装着部１６を有する装飾部材固定部１５が設けられている。
また、上記装飾部材固定部１５は、載頭円錐台形状に形成され、上記装着部１６はすり鉢状に形成されている。
また、上記リング部１３、耳たぶ狭持部１１、１２、棒状突出部１４及び装飾部材固定部１５はそれぞれシリコン樹脂から形成されている。
【実施例１】
【００１８】
本実施例の構成について以下添付図面を引用して詳述する。
図１は、本実施例に係る耳装飾具１０の全体正面図を示している。
本実施例においては、リング部１３は約１ｍｍの透明な可撓性を有するシリコン樹脂の線材からなり、径寸法は約６ｍｍに形成されている。
【００１９】
また、上記耳たぶ狭持部１１、１２は棒状に形成され、夫々上記リング部１３の径方向外方に向かって突出して配置されると共に、基端部１１ａ、１２ａにおいて、上記リング部１３が延設されている。
また、上記棒状突出部１４は上記一方の耳たぶ狭持部１１の先端部１１ｂにおいて上記耳たぶ狭持部１１に直交して配設されている。
【００２０】
また、上記他方の耳たぶ狭持部１２に配設された上記装飾部材固定部１５の底部１９の径寸法は約３ｍｍに形成され、上記装飾部材固定部１５の頂部２０においてにおいて、上記他方の耳たぶ狭持部１２の先端部１２ｂに固定されている。
また、図２に示すように、宝石部材１７は、上記装飾部材固定部１５の装着部１６の表面に塗布された樹脂製の接着剤２１を介して、上記装着部１６に嵌合して固定されている。
【００２１】
本実施例の作用について添付図面を用いて説明する。
図２に示すように、本実施例に係る耳装飾具１０を耳に装着する場合は、リング部１３を指等で把持し、上記耳たぶ狭持部１１、１２間の空隙１８を拡開し、上記空隙１８に耳たぶ２２を挿入して、上記耳たぶ狭持部１１、１２が有する、上記空隙１８を小さくする方向に作用する付勢力によって耳たぶ２２を挟持する。
【００２２】
図２に示すように、本実施例にあっては、装飾部材固定部１５は上記他方の耳たぶ狭持部１２にも受けられると共に、夫々透明なシリコン樹脂から形成されていることから、装着時にリング部１３等が見え難く、図中矢印Ａの方向からは、宝石部材１７と耳たぶ２２が当接しているように視認されるため、ピアス型装飾具と同様の外観品質を得ることができる。
【００２３】
また、宝石部材１７は接着剤２１を介して取り付けられているため、取り付け作業が容易であると共に、接着剤２１による接着力によって、宝石部材１７が落下し難い。
【００２４】
なお、装飾部材固定部の装着部の径寸法、及び形状は、本実施例の形状に限定されるものではなく、装着する宝石部材の大きさ寸法、及び宝石の外形に合わせて変更した場合であっても、本実施例の同様の作用、効果を得ることができる。
また、接着剤は乾燥時に透明となるものであれば特に種類は問わないが、本実施例にあっては、樹脂製の接着剤を使用している。
【産業上の利用可能性】
【００２５】
本考案は、耳たぶに装着する耳装飾具に適用することが可能である。
【符号の説明】
【００２６】
１０  耳装飾具
１１  耳たぶ狭持部
１１ａ耳たぶ狭持部基端部
１１ｂ耳たぶ狭持部先端部
１２  耳たぶ狭持部
１２ａ耳たぶ狭持部基端部
１２ｂ耳たぶ狭持部先端部
１３  リング部
１４  棒状突出部
１５  装飾部材固定部
１６  装着部
１７  宝石部材
１８  空隙
１９  装飾部材固定部の底部
２０  装飾部材固定部の頂部
２１  接着剤
２２  耳たぶ
４０  耳装飾具
４１  耳たぶ狭持部
４２耳たぶ狭持部
４３  リング部
４４  棒状突出部
４５  棒状突出部
４６  耳たぶ
４７  宝石部材
４８  鎖状部材
４９  空隙
Ａ  視認方向
【図１】
0003162450.tif 000003
【図２】
0003162450.tif 000004
【図３】
0003162450.tif 000005